(57)【要約】【課題】冷却効率が良好であり、小型化が実現される冷却装置及び該冷却装置を備える投射型画像表示装置を提供する。【解決手段】冷却装置は、軸方向の両側から空気を吸い込むシロッコファンと、ケース３と、蓋とを備える。ケース３の平板部３１には、シロッコファンの軸方向の一側が対向し、該一側から吸気する第１吸気口４３Ｒ，４３Ｇ，４３Ｂ、及び空気を吐出する吐出口４２Ｒ，４２Ｇ，４２Ｂが設けられた周壁４１Ｒ，４１Ｇ，４１Ｂを有する収納部４Ｒ，４Ｇ，４Ｂと、仕切り壁５１Ｒ，５１Ｇ，５１Ｂを有し、吐出口４２Ｒ，４２Ｇ，４２Ｂから吐出した空気が通流する通気路５Ｒ，５Ｇ，５Ｂとが突設されており、空気を迂回させて前記シロッコファンの他側から吸い込むための第２吸気口６Ｒ，６Ｇ，６Ｂが設けられている。蓋は、通気路５Ｒ，５Ｇ，５Ｂを通流した空気が吹き出す吹出口を有する。【選択図】図２
2008026422.tif 000002
【特許請求の範囲】
【請求項１】
軸方向の両側から空気を吸い込むシロッコファンと、
一面に開口を有し、
開口の対向面に、
前記シロッコファンを収納し、該シロッコファンの軸方向の一側が対向し、該シロッコファンが該一側から吸気するための第１吸気口、及び空気を吐出する吐出口が設けられた周壁を有する収納部、並びに
前記周壁に連設された仕切り壁を有し、前記吐出口から吐出した空気が通流する通気路を突設してあり、
空気を前記仕切り壁及び周壁を迂回させて前記シロッコファンの他側から吸い込むための第２吸気口を有するケースと、
前記収納部との間に隙間がある状態で前記ケースの開口を閉塞し、空気が前記通気路から、対向配置される被冷却体へ吹き出す吹出口を有する蓋と
を備えることを特徴とする冷却装置。
【請求項２】
軸方向の両側から空気を吸い込むシロッコファンと、
一面に開口を有し、
開口の対向面に、
前記シロッコファンを収納し、該シロッコファンの軸方向の一側が対向し、該シロッコファンが該一側から吸気するための第１吸気口、及び空気を吐出する吐出口が設けられた周壁を有する収納部、並びに
前記周壁に連設された仕切り壁を有し、前記吐出口から吐出した空気が通流する通気路を突設したケースと、
前記ケースの開口を閉塞し、空気が前記通気路から、対向配置される被冷却体へ吹き出す吹出口、及び前記シロッコファンが他側から吸気するための第２吸気口を有する蓋と
を備えることを特徴とする冷却装置。
【請求項３】
前記シロッコファンは、回転翼を回転させるモータを支持し、前記他側から吸気するための第３吸気口を有する支持板を備え、
前記収納部は、少なくとも一組の隣り合うシロッコファンが前記支持板の端部を重ねて収納されるように、突設長が異なる状態で、複数並設されている請求項１又は２に記載の冷却装置。
【請求項４】
回転翼を回転させるモータを支持する支持板を備え、軸方向の一側から空気を吸い込むシロッコファンと、
一面に開口を有し、
開口の対向面に、
前記シロッコファンを収納し、該シロッコファンの軸方向の一側が対向し、該シロッコファンが該一側から吸気するための吸気口、及び空気を吐出する吐出口が設けられた周壁を有する収納部、並びに
前記周壁に連設された仕切り壁を有し、前記吐出口から吐出した空気が通流する通気路を突設したケースと、
前記ケースの開口を閉塞し、空気が前記通気路から、対向配置される被冷却体へ吹き出す吹出口を有する蓋と
を備え、
前記収納部は、少なくとも一組の隣り合うシロッコファンが前記支持板の端部を重ねて収納されるように、突設長が異なる状態で、複数並設されていることを特徴とする冷却装置。
【請求項５】
前記吐出口の面積と前記通気路の断面積とは略等しい請求項１乃至４のいずれか１つに記載の冷却装置。
【請求項６】
長さの異なる通気路を複数備え、
前記蓋は、前記通気路に対向する部分の前記吹出口側に、該吹出口から内向きに突出する突出面と、前記シロッコファン側から該突出面へ空気を案内する案内面とを有するリブを備え、
案内面の、吹出口までの距離が長い通気路と対向する距離は、吹出口までの距離が短い通気路と対向する距離より長い請求項１乃至５のいずれか１つに記載の冷却装置。
【請求項７】
請求項１乃至６のいずれか１つに記載の冷却装置と、
光源装置と、
該光源装置から出射した光で画像に係る変調光を生成する空間光変調素子と
を備え、
前記冷却装置は該空間光変調素子を冷却することを特徴とする投射型画像表示装置。
【発明の詳細な説明】
【技術分野】
【０００１】
本発明は、液晶表示パネル等の空間光変調素子、偏光板等の電子機器部品を冷却する冷却装置、及び該冷却装置を備える投射型画像表示装置に関する。
【背景技術】
【０００２】
液晶表示パネルを空間光変調素子として備える投射型画像表示装置（プロジェクタ）においては、液晶表示パネルに表示した画像を投射レンズで拡大投射し、大画面表示を行っている。近年、画面の明るさの向上が求められ、光源の高輝度化に伴い高出力光源が用いられることから、十分な冷却が必要とされ、冷却装置が使用されている。
従来の投射型画像表示装置の冷却装置として、赤（以下、Ｒと称す）、緑（以下、Ｇと称す）、青（以下、Ｂと称す）色の光を合成するプリズムを支持するレンズプリズム台座の下側に軸流ファンを配置し、軸流ファンと液晶表示パネルとの間に通気路を成形したタイプが知られている。
また、近年の小型化薄型化、光源の高輝度化の要求に伴い、冷却風を高速にすることが必要とされ、シロッコファンから吹付けガイドを通して液晶表示パネルへ冷却風を送りこむタイプも開発されている。
【０００３】
軸流ファンを使用する前者のタイプは、風速が遅く、高輝度化された光源を十分に冷却することが困難であり、また軸流ファンと液晶表示パネルとの間に吹付けガイドを成形するため、投射型画像表示装置の薄型化に適した構成とはいえない。
また、シロッコファンを使用する後者のタイプは、風速は速いが、液晶表示パネル等の被冷却部材がＲ、Ｇ、Ｂ毎に３個所に分かれて配置されているため、通常２〜３個のシロッコファンを用い、明るさに応じて通気路で送風を分離している。そのため、冷却用空気が通過するダクトは長くなりがちであり、風路抵抗が大きく、風切り音が発生していた。
【０００４】
図１４は、シロッコファンを使用した従来の投射型画像表示装置の要部を示す平面断面図である。
この投射型画像表示装置は、プリズム１０１の三面の周囲にＲ，Ｇ，Ｂの各色用の出射偏光板１０４Ｒ，１０４Ｇ，１０４Ｂ、透過型の液晶表示パネル１０５Ｒ，１０５Ｇ，１０５Ｂ、入射偏光板１０６Ｒ，１０６Ｇ，１０６Ｂが配置され、これらの被冷却部材の下部にはこれらの被冷却部材に空気流を導く吹付けガイド１１５Ｒ，１１５Ｇ，１１５Ｂが設けられている。
吹付けガイド１１５Ｒ，１１５Ｇ，１１５Ｂの端部にはシロッコファン１１４Ｒ，１１４ＢＧが配置されている。シロッコファン１１４ＢＧの吸気口には、吸気により吸い込まれる塵埃等の侵入を阻止する防塵フィルタ１０７が投射型画像表示装置の筐体の一部に配置されており、防塵フィルタ１０７を通過し、シロッコファン１１４ＢＧにより吸い込まれた空気が吹付けガイド１１５Ｂを通って入射偏光板１０６Ｂ、透過型液晶パネル１０５Ｂ、出射偏光板１０４Ｂに吹き付けられるように構成されている。また、吹付けガイド１１５Ｇを通って入射偏光板１０６Ｇ、透過型液晶パネル１０５Ｇ、出射偏光板１０４Ｇに吹き付けられる。同様に、防塵フィルタ１０７を通過し、シロッコファン１１４Ｒにより吸い込まれた空気が吹付けガイド１１５Ｒを通って入射偏光板１０６Ｒ、透過型液晶パネル１０５Ｒ、出射偏光板１０４Ｒに吹き付けられる。
プリズム１０１の他の一面に対向させて、投射レンズ１０２が配置されている。
色分解光学系（図示せず）で分離されたＲ，Ｇ，Ｂ光は、それぞれ入射偏光板１０６Ｒ，１０６Ｇ，１０６Ｂに入射し、液晶表示パネル１０５Ｒ，１０５Ｇ，１０５Ｂで画像情報に応じて変調され、出射偏光板１０４Ｒ，１０４Ｇ，１０４Ｂに入射した後、プリズム１０１に入射する。変調されたＲ，Ｇ，Ｂ光は、プリズム１０１で合成され、投射レンズ１０２によりスクリーン（図示せず）に拡大表示される。
【０００５】
特許文献１には、ダクトに仕切りを設けて、３つのライトバルブ（空間光変調素子）に各別に冷却風を送風出来るようにした投射型画像表示装置の発明が開示されている。
特許文献２には、筐体の吸気口に対向してシロッコファンを配置し、シロッコファンとライトバルブとの間にダクトを配置し、ダクトの容積をシロッコファンの開口の最大寸法の３乗以上とすることにより、ダクトに空気溜まりの機能を持たせて、吸気口が塞がれたときの冷却風の量の減少を抑制した投射型画像表示装置の発明が開示されている。
【０００６】
特許文献３には、筒状体の延出方向に分割される一対のダクト部材でダクトを構成するので、射出成形によりダクトを成形出来、ダクトの成形自由度が高い投射型画像表示装置の発明が開示されている。
特許文献４には、冷却ファンと、該冷却ファンにて吐出された冷却空気を液晶表示パネルの近傍位置まで導く吐出側ダクトとを含む投射型画像表示装置の発明が開示されている。
【特許文献１】特開２００２−１８９２５１号公報
【特許文献２】特開２００３−５２８１号公報
【特許文献３】特開２００３−２１５７１０号公報
【特許文献４】特開２００５−３３８２３６号公報
【発明の開示】
【発明が解決しようとする課題】
【０００７】
上述の図１４の投射型画像表示装置、特許文献１乃至４の投射型画像表示装置においては、軸方向の一側から吸気するシロッコファンを用いているので、冷却効率が悪く、液晶表示パネル等を十分に冷却することが出来ないという問題があった。
また、３つの液晶表示パネルに対応させて、シロッコファンを３つ収納するので、装置の小型化が図れないという問題があった。
そして、通気路が長いので、抵抗が大きく、風量が減少しやすいという問題があった。
【０００８】
本発明は、斯かる事情に鑑みてなされたものであり、軸方向の両側から空気を吸い込むシロッコファンを備え、ケースの平板部にシロッコファンを収納する収納部、通気路、第１吸気口及び第２吸気口を設けることにより、冷却効率が良好であり、小型化が図られる冷却装置を提供することを目的とする。
【０００９】
また、本発明は、少なくとも一組の隣り合うシロッコファンが、そのモータを支持する支持板の端部を重ねて収納されるように、ケースの平板部に、収納部を、突設長が異なる状態で複数並設することにより、小型化が実現される冷却装置を提供することを目的とする。
【００１０】
そして、本発明は、シロッコファンから通気路へ空気が送られる吐出口の面積と通気路の断面積とを略等しくすることにより、シロッコファンから送られる空気の圧力損失が抑制され、冷却効率が良好である冷却装置を提供することを目的とする。
【００１１】
さらに、本発明は、通気路を複数備え、蓋は、通気路に対向する部分の吹出口側に、吹出口から内向きに突出する突出面と、シロッコファン側から突出面へ空気を案内する案内面とを有するリブを備え、案内面の、吹出口までの距離が長い通気路と対向する距離は、吹出口までの距離が短い通気路と対向する距離より長くすることにより、吹出口に対向配置される被冷却体に効率良く冷却空気が吹き付けられるとともに、通気路が長い場合、空気が、案内面に沿って緩やかに流された後、突出面に沿って上昇し、風量の減少が抑制される冷却装置を提供することを目的とする。
【００１２】
また、本発明は、上述の冷却装置を備えることにより、効率良く、液晶表示パネル等の空間光変調素子、偏光板等を冷却することが出来、性能の低下が抑制される投射型画像表示装置を提供することを目的とする。
【課題を解決するための手段】
【００１３】
本発明に係る冷却装置は、軸方向の両側から空気を吸い込むシロッコファンと、一面に開口を有し、開口の対向面に、前記シロッコファンを収納し、該シロッコファンの軸方向の一側が対向し、該シロッコファンが該一側から吸気するための第１吸気口、及び空気を吐出する吐出口が設けられた周壁を有する収納部、並びに前記周壁に連設された仕切り壁を有し、前記吐出口から吐出した空気が通流する通気路を突設してあり、空気を前記仕切り壁及び周壁を迂回させて前記シロッコファンの他側から吸い込むための第２吸気口を有するケースと、前記収納部との間に隙間がある状態で前記ケースの開口を閉塞し、空気が前記通気路から、対向配置される被冷却体へ吹き出す吹出口を有する蓋とを備えることを特徴とする。
【００１４】
本発明においては、シロッコファンが軸方向の両側から吸気して側方から空気を吐出し、被冷却体に送風するので、冷却効率が良好である。
また、ケースの平板部（前記対向面）に、第１吸気口及び第２吸気口ともに備えるので、この冷却装置を組み込む装置においては、該装置のケースの一面に、空気を吸い込む吸気口を設け、該吸気口から吸い込んだ空気を通す防塵フィルタを１つ備えるだけですみ、装置の小型化が図られる。蓋とケースとの間には隙間があるので、シロッコファンの軸方向の上側からスムースに吸気される。
【００１５】
本発明に係る冷却装置は、軸方向の両側から空気を吸い込むシロッコファンと、一面に開口を有し、開口の対向面に、前記シロッコファンを収納し、該シロッコファンの軸方向の一側が対向し、該シロッコファンが該一側から吸気するための第１吸気口、及び空気を吐出する吐出口が設けられた周壁を有する収納部、並びに前記周壁に連設された仕切り壁を有し、前記吐出口から吐出した空気が通流する通気路を突設したケースと、前記ケースの開口を閉塞し、空気が前記通気路から、対向配置される被冷却体へ吹き出す吹出口、及び前記シロッコファンが他側から吸気するための第２吸気口を有する蓋とを備えることを特徴とする。
【００１６】
本発明においては、シロッコファンが軸方向の両側から吸気して送風するので、冷却効率が良好である。
【００１７】
本発明に係る冷却装置は、前記シロッコファンは、回転翼を回転させるモータを支持し、前記他側から吸気するための第３吸気口を有する支持板を備え、前記収納部は、少なくとも一組の隣り合うシロッコファンが前記支持板の端部を重ねて収納されるように、突設長が異なる状態で、複数並設されていることを特徴とする。
【００１８】
本発明においては、冷却装置の小型化が図られる。
【００１９】
本発明に係る冷却装置は、回転翼を回転させるモータを支持する支持板を備え、軸方向の一側から空気を吸い込むシロッコファンと、一面に開口を有し、開口の対向面に、前記シロッコファンを収納し、該シロッコファンの軸方向の一側が対向し、該シロッコファンが該一側から吸気するための吸気口、及び空気を吐出する吐出口が設けられた周壁を有する収納部、並びに前記周壁に連設された仕切り壁を有し、前記吐出口から吐出した空気が通流する通気路を突設したケースと、前記ケースの開口を閉塞し、空気が前記通気路から、対向配置される被冷却体へ吹き出す吹出口を有する蓋とを備え、前記収納部は、少なくとも一組の隣り合うシロッコファンが前記支持板の端部を重ねて収納されるように、突設長が異なる状態で、複数並設されていることを特徴とする。
【００２０】
本発明においては、冷却装置の小型化が図られる。
【００２１】
本発明に係る冷却装置は、前記吐出口の面積と前記通気路の断面積とは略等しいことを特徴とする。
【００２２】
本発明においては、シロッコファンから送られる空気の圧力損失が抑制されるので、冷却効率が良好である。
【００２３】
本発明に係る冷却装置は、長さの異なる通気路を複数備え、前記蓋は、前記通気路に対向する部分の前記吹出口側に、該吹出口から内向きに突出する突出面と、前記シロッコファン側から該突出面へ空気を案内する案内面とを有するリブを備え、案内面の、吹出口までの距離が長い通気路と対向する距離は、吹出口までの距離が短い通気路と対向する距離より長いことを特徴とする。
【００２４】
本発明においては、蓋の通気路に対向する部分の吹出口側に突出面を有するリブを備えるので、良好に上向き流が生じ、吹出口に対向配置される被冷却体に効率良く冷却空気が吹き付けられる。
通気路が長い場合、抵抗が大きく、風量が減少しやすいので、空気が、リブの案内面により緩やかに流された後、突出面に沿って上昇するように構成することで、風量の減少が抑制される。
通気路が短い場合、抵抗が小さいので、空気が、リブの案内面により略垂直に案内された後、突出面に沿って上昇するように構成することで、風量が減ずることなく、スムースに流れて被冷却体を冷却する。
【００２５】
本発明に係る投射型画像表示装置は、上述の発明のいずれか１つの冷却装置と、光源装置と、該光源装置から出射した光で画像に係る変調光を生成する空間光変調素子とを備え、前記冷却装置は該空間光変調素子を冷却することを特徴とする。
【００２６】
本発明においては、上述の冷却装置を備えるので、効率良く液晶表示パネル等の空間光変調素子、偏光板等の被冷却体を冷却することが出来、投射型画像表示装置の性能の低下が抑制される。また、冷却装置は小型であるので、投射型画像表示装置全体も小型化が図られる。
【発明の効果】
【００２７】
本発明の冷却装置によれば、軸方向の両側から空気を吸い込むシロッコファンを備えるので、冷却効率が良好である。
また、ケースの平板部に、第１吸気口及び第２吸気口ともに備えるので、この冷却装置を組み込む装置においては、該装置のケースの一面に、空気を吸い込む吸気口を設け、該吸気口から吸い込んだ空気を通す防塵フィルタを１つ備えるだけですみ、装置の小型化及び簡素化が図られる。
【００２８】
また、本発明の冷却装置によれば、少なくとも一組の隣り合うシロッコファンが、回転翼を回転させるモータの支持板の端部を重ねて収納されるように、収納部を、ケースの平板部に、突設長が異なる状態で複数並設しているので、小型化が実現される。
【００２９】
そして、本発明の冷却装置によれば、シロッコファンから通気路へ空気が送られる吐出口の面積と通気路の断面積とが略等しいので、シロッコファンから送られる空気の圧力損失が抑制され、冷却効率が良好である。
【００３０】
さらに、本発明の冷却装置によれば、蓋は、通気路に対向する部分の吹出口側に、吹出口から内向きに突出する突出面と、シロッコファン側から突出面へ空気を案内する案内面とを有するリブを備え、吹出口までの距離が長い通気路は短い通気路よりも、案内面の通気路に対向する距離を長くしているので、吹出口に対向配置される被冷却体に効率良く冷却空気が吹き付けられるとともに、通気路が長い場合、空気が、案内面に沿って緩やかに流された後、突出面に沿って上昇するので、風量の減少が抑制される。
【００３１】
そして、本発明の投射型画像表示装置によれば、上述の冷却装置を備えるので、効率良く、液晶表示パネル等の空間光変調素子、偏光板等を冷却することが出来、性能の低下が抑制される。
【発明を実施するための最良の形態】
【００３２】
以下、本発明をその実施の形態を示す図面に基づき具体的に説明する。
実施の形態１．
図１は、本発明の実施の形態１に係る冷却装置１を示す斜視図である。
冷却装置１は、一面が開口したケース３と、該ケース３の開口を閉塞する蓋２とからなる。
【００３３】
図２は、ケース３を示す斜視図、図３は、ケース３を示す平面図、図４は、ケース３を示す裏面図である。
ケース３は、蓋２に対向する一面が開口した箱体であり、矩形の一角が凹んだ形状をなす平板部３１に側板部３２を周設してなる。平板部３１には、後述するシロッコファンを収納する平面視円形の収納部４Ｒ，４Ｇ，４Ｂが並設されている。
収納部４Ｒ，４Ｇ，４Ｂは、シロッコファンの側面を覆い、一部が空気が吐出される吐出口４２Ｒ，４２Ｇ，４２Ｂとして開口した円筒状の周壁４１Ｒ，４１Ｇ，４１Ｂと、底面（平板部３１）に、シロッコファンの軸方向の一側と対向するように設けられ、シロッコファンが該一側から吸気する第１吸気口４３Ｒ，４３Ｇ，４３Ｂとを備えている。
周壁４１Ｒ，４１Ｇ，４１Ｂの上面の周縁の、中心を挟んで対向する２点には、固定ピン４４Ｒ，４４Ｒ、４４Ｇ，４４Ｇ、４４Ｂ，４４Ｂがそれぞれ設けられている。
周壁４１Ｒの高さは、他の周壁４１Ｇ，４１Ｂの高さより高くしている。
【００３４】
収納部４Ｒ，４Ｇ，４Ｂには、通気路５Ｒ，５Ｇ，５Ｂが連設されている。
通気路５Ｒは仕切り壁５１Ｒ，５１Ｒを備えており、仕切り壁５１Ｒ，５１Ｒが、前記吐出口４２Ｒの両側に連設され、収納部４Ｒと通気路５Ｒとで、略６の字状をなすように構成されている。通気路５Ｒは、側板部３２に到達するように延び、端部には、ケース３の開口に向かって湾曲した湾曲部５２Ｒが設けられている。
同様に、通気路５Ｇは仕切り壁５１Ｇ，５１Ｇを備えており、仕切り壁５１Ｇ，５１Ｇが、吐出口４２Ｇの両側に連設されている。通気路５Ｇは、側板部３２まで所定間隔を隔てた位置まで略直線状に延び、端部には、ケース３の開口に向かって湾曲した湾曲部５２Ｇが設けられている。
通気路５Ｂは仕切り壁５１Ｂ，５１Ｂを備えており、仕切り壁５１Ｂ，５１Ｂが、吐出口４２Ｂの両側に連設されている。通気路５Ｂは、側板部３２の凹みに沿った状態で、端部がケース３の長手方向に一致する方向に延びており、端部には、ケース３の開口に向かって湾曲した湾曲部５２Ｂが設けられている。
通気路５Ｒ，５Ｇ，５Ｂの断面積は、吐出口４２Ｒ，４２Ｇ，４２Ｂの面積と略等しくしている。従って、シロッコファンから送られる空気の圧力損失が抑制される。
通気路５Ｒ，５Ｇ，５Ｂの底部の長さは、通気路５Ｂ，５Ｒ，５Ｇの順に長く、湾曲部５２Ｒ，５２Ｇ，５２Ｂの曲率は略等しい。
【００３５】
ケース３の側板部３２と仕切り壁５１Ｒとに包囲された部分、並びに仕切り壁５１Ｒ，周壁４１Ｒ，及び仕切り壁５１Ｇに包囲された部分に相当するの平板部３１には、空気を仕切り壁５１Ｒ及び周壁４１Ｒを迂回させてシロッコファンの軸方向の他側から吸い込むための格子状の第２吸気口６Ｒが設けられている。
ケース３の仕切り壁５１Ｇ、周壁４１Ｇ、及び仕切り壁５１Ｂに包囲された部分に相当する平板部３１には、空気を周壁４１Ｇを迂回させてシロッコファンの軸方向の他側から吸い込むための格子状の第２吸気口６Ｇが設けられている。
ケース３の側板部３２、仕切り壁５１Ｂ及び周壁４１Ｂに包囲された部分に相当する平板部３１には、空気を周壁４１Ｂを迂回させてシロッコファンの軸方向の他側から吸い込むための格子状の第２吸気口６Ｂが設けられている。
なお、第２吸気口６Ｒ，６Ｇ，６Ｂは格子状をなす場合に限定されるものではない。
【００３６】
図５は、蓋２を表側から見た斜視図、図６は、蓋２を示す平面図、図７は、裏側から見た斜視図、図８は、蓋２を示す裏面図である。
蓋２は、矩形の一角が凹んだ形状をなす平板部２１に側板部２２を周設してなる。平板部２１には、平板部２１の凹みに隣接する位置に、前記湾曲部５２Ｒ，５２Ｇ，５２Ｂに対向するように吹出口７Ｒ，７Ｇ，７Ｂが設けられており、吹出口７Ｒ，７Ｇ，７Ｂから空気が吹き出すように構成されている。この冷却装置１を組み込む電子機器が投射型画像表示装置である場合、吹出口７Ｒ，７Ｇ，７Ｂに対向させて、液晶表示パネル等の空間光変調素子、偏光板等の被冷却体が配置される。
【００３７】
平板部２１の裏面の通気路５Ｒ，５Ｇ，５Ｂに対向する部分の吹出口７Ｒ，７Ｇ，７Ｂ側には、リブ８Ｒ，８Ｇ，８Ｂが設けられている。
リブ８Ｒ，８Ｇ，８Ｂは、吹出口７Ｒ，７Ｇ，７Ｂから内側に突出する突出面８１Ｒ，８１Ｇ，８１Ｂと、シロッコファン側から突出面８１Ｒ，８１Ｇ，８１Ｂへ空気を案内する案内面８２Ｒ，８２Ｇ，８２Ｂとを有する。吹出口７Ｂまでの距離が長い通気路５Ｂと対向する案内面８２Ｂの対向距離は、吹出口７Ｇまでの距離が短い通気路５Ｇと対向する案内面８２Ｇの対向距離よりも長くし、すなわち、案内面８２Ｂの傾斜を緩やかにしている。吹出口７Ｇまでの距離が短い通気路５Ｇに対向する案内面８２Ｇは、その傾斜を略９０度にしている。
【００３８】
図９は、シロッコファン１０を示す斜視図である。
シロッコファン１０の矩形の支持板１０ａの中央部には空気を取り込むための第３吸気口１０ｂが設けられており、第３吸気口１０ｂの中央部には、モータ１０ｃが支持されている。
モータ１０ｃのロータには、回転翼１０ｄ，１０ｄ…を周方向に並設した羽根車１０ｅが外嵌されている。
支持板１０ａの４頂点のうちの３頂点は切り欠かれており、対向する２頂点には、前記固定ピン４４Ｒ，４４Ｒ、４４Ｇ，４４Ｇ、４４Ｂ，４４Ｂを挿通させる挿通孔１０ｆ，１０ｆが設けられている。
【００３９】
図１０は、ケース３の収納部４Ｒ，４Ｇ，４Ｂにシロッコファン１０，１０，１０が収納された状態を示す平面図であり、図１１は、ケース３の収納部４Ｒ，４Ｇ，４Ｂにシロッコファン１０，１０，１０が収納された状態を示す側面図である。
シロッコファン１０，１０，１０は、挿通孔１０ｆ，１０ｆを固定ピン４４Ｒ，４４Ｒ、４４Ｇ，４４Ｇ、４４Ｂ，４４Ｂに挿通させ、支持板１０ａ，１０ａ，１０ａが周壁４１Ｒ，４１Ｇ，４１Ｂの上面に当接した状態で、収納部４Ｒ，４Ｇ，４Ｂに収納される。
【００４０】
上述したように、周壁４１Ｒの高さは隣接する周壁４１Ｇの高さより高いので、収納部４Ｒに収納されるシロッコファン１０の支持板１０ａは、収納部４Ｇに収納されるシロッコファン１０の支持板１０ａより突出している。従って、隣接するシロッコファン１０，１０が支持板１０ａ，１０ａの端部同士を上下方向に重ねた状態で収納されるので、ケース３の横幅を狭くすることが出来、冷却装置１の小型化が図られる。
【００４１】
シロッコファン１０を収納したケース３は、周壁４１Ｒ，４１Ｇ，４１Ｂの上面と高さ方向に隙間がある状態で、蓋２により閉塞される。シロッコファン１０のモータ１０ｃが通電されることで、モータ１０ｃが羽根車１０ｅを回転させ、図２の矢印に示すように、空気が第１吸気口４３Ｒ，４３Ｇ，４３Ｂからシロッコファン１０の羽根車１０ｅの下面側に吸い込まれ、また、第２吸気口６Ｒ，６Ｇ，６Ｂから周壁４１Ｒ，仕切り壁５１Ｒ等を迂回して第３吸気口１０ｂ，１０ｂ，１０ｂに吸い込まれ、吐出口４２Ｒ，４２Ｇ，４２Ｂから吐出されて、通気路５Ｒ，５Ｇ，５Ｂ内を通流し、湾曲部５２Ｒ，５２Ｇ，５２Ｂに沿って上向きに流れる。
【００４２】
以上のように構成された冷却装置１は、吹出口７Ｒ，７Ｇ，７Ｂを電子機器の部品等の被冷却体に対向させた状態で、被冷却体の下側に配されて電子機器に組み込まれる。
上述のようにしてシロッコファン１０の軸方向の両側から吸い込まれた空気は、吐出口４２Ｒ，４２Ｇ，４２Ｂから吐出され、通気路５Ｒ，５Ｇ，５Ｂを通流して、吹出口７Ｒ，７Ｇ，７Ｂから吹き出し、被冷却体に突き当たって被冷却体を冷却する。
【００４３】
冷却装置１においては、ケース３の平板部に、第１吸気口４３Ｒ，４３Ｇ，４３Ｂ、及び第２吸気口６Ｒ，６Ｇ，６Ｂが設けられているので、被冷却体を収納する電子機器等のケースは、一面に、第１吸気口４３Ｒ，４３Ｇ，４３Ｂ、及び第２吸気口６Ｒ，６Ｇ，６Ｂに対応させて、防塵フィルタを有し、空気を吸い込む吸気口を、１つ備えればよい。
【００４４】
本実施の形態においては、上述したように、蓋２の平板部２１の裏面の吹出口７Ｒ，７Ｇ，７Ｂ近傍にリブ８Ｒ，８Ｇ，８Ｂが設けられており、リブ８Ｒ，８Ｇ，８Ｂは突出面８１Ｒ，８１Ｇ，８１Ｂを有するので、空気は突出面８１Ｒ，８１Ｇ，８１Ｂに沿って吹出口７Ｒ，７Ｇ，７Ｂから略垂直方向に吹き出し、被冷却体は効率良く冷却される。
吹出口７Ｂまでの距離が長い通気路５Ｂは、吹出口７Ｇまでの距離が短い通気路５Ｇよりも、抵抗が大きく、風量が減少しやすいが、上述したように、案内面８２Ｂは通気路５Ｂに対向する距離を長く、傾斜を緩やかにしているので、風量の損失が抑制されている。
吹出口７Ｇまでの距離が短い通気路５Ｇの場合、抵抗が小さいので、空気は、案内面８２Ｇにより略垂直に案内された後、突出面８１Ｇに沿って上昇するように構成することで、風量が減ずることなく、スムースに流れて被冷却体を冷却しうる。
【００４５】
なお、本実施の形態においては、収納部４Ｒの周壁４１Ｒの高さを収納部４Ｇ，４Ｂの周壁４１Ｇ，４１Ｂの高さより高くした場合につき説明しているがこれに限定されるものではなく、周壁４１Ｒ，４１Ｇ，４１Ｂの順に高くなるようにしてもよく、中央部の周壁４１Ｂの高さを他の周壁４１Ｒ，４１Ｂの高さより低くすることにしてもよい。また、周壁４１Ｒ，４１Ｇ，４１Ｂの高さを一致させてもよいが、この場合、隣り合う支持板１０ａ，１０ａを上下方向に重ね合わせることが出来ず、装置の小型化が図れないので、周壁の高さは段違いにするのが好ましい。
【００４６】
また、本実施の形態においては、冷却装置１内に収納部を３つ設け、シロッコファン１０を３つ収納する場合につき説明しているがこれに限定されるものではなく、収納するシロッコファン１０の数は被冷却体の数に合わせて適宜変更が可能であり、蓋２に設ける吹出口の数もこれに合わせて変更すればよい。
そして、シロッコファン１０を１つ有し、空気を複数の吐出口から吐出させて、複数の通気路に送ることにしてもよい。
【００４７】
さらに、本実施の形態においては、軸方向の両側から吸気するシロッコファン１０を用いた場合につき説明しているがこれに限定されるものではなく、軸方向の一側から吸気するシロッコファンを用いることにしてもよい。但し、軸方向の両側から吸気するシロッコファン１０を用いる方が冷却効率が良好であるので、好ましい。
【００４８】
実施の形態２．
図１２は、本実施の形態２に係る冷却装置１１を示す斜視図である。図中、図１と同一部分は同一符号を付して、説明を省略する。
本実施の形態のケース３の平板部３１には、第２吸気口６Ｒ，６Ｇ，６Ｂが設けられておらず、蓋２の平板部２１の、ケース３の側板部３２と仕切り壁５１Ｒとに包囲された部分に対向する部分、仕切り壁５１Ｇ、周壁４１Ｇ、及び仕切り壁５１Ｂに包囲された部分に対向する部分、並びに側板部３２、周壁４１Ｂ及び仕切り壁５１Ｂに包囲された部分に対向する部分に、格子状の第２吸気口２３Ｒ，２３Ｇ，２３Ｂが設けられている。
本実施の形態の冷却装置１１を組み込む電子機器等のケースにおいては、蓋２の平板部２１に対向する該ケースの面に、第２吸気口２３Ｒ，２３Ｇ，２３Ｂに対応させて、第１吸気口４３Ｒ，４３Ｇ，４３Ｂに対応する吸気口とは別の吸気口を設ける必要がある。従って、電子機器のケースの一面に、１つ吸気口を設けるだけですむ実施の形態１の冷却装置１を用いる方が電子機器等の小型化及び簡素化がより図られる。
なお、第２吸気口２３Ｒ，２３Ｇ，２３Ｂは、格子状をなす場合に限定されない。
【００４９】
実施の形態３．
図１３は、本発明の実施の形態３に係る投射型画像表示装置９０を示す概略平面図である。
投射型画像表示装置９０は、白色の照明光を発する光源９１と、Ｒ，Ｇ，Ｂの３色に色分解された照明光を変調する透過型の液晶表示パネル９２Ｒ，９２Ｇ，９２Ｂと、液晶表示パネル９２Ｒ，９２Ｇ，９２Ｂの入射側に配置された偏光板９３Ｒ，９３Ｇ，９３Ｂと、液晶表示パネル９２Ｒ，９２Ｇ，９２Ｂの出射側に配置された偏光板９４Ｒ，９４Ｇ，９４Ｂと、照明光を直線偏光とし、３色に色分解して液晶表示パネル９３Ｒ，９３Ｇ，９３Ｂに導く照明光学系（図示せず）と、変調された各色の光を合成するクロスダイクロイックプリズム９５と、合成された光を投射する投射レンズ９６と、電源・バラストユニット９７と、実施の形態１に係る冷却装置１とを備えている。
【００５０】
液晶表示パネル９２Ｒ，９２Ｇ，９２Ｂは、入射した直線偏光を、透過する直線偏光の偏光面を表示した映像によって部分的に９０°回転させることによって変調する。変調した光には、映像を表す直線偏光と、映像を表さない直線偏光とが含まれる。
液晶表示パネル９２Ｒ，９２Ｇ，９２Ｂの入射側に配置された偏光板９３Ｒ，９３Ｇ，９３Ｂは、入射した光に混在する不要な偏光成分を吸収して液晶表示パネル９２Ｒ，９２Ｇ，９２Ｂに適合する直線偏光のみを出射する。
液晶表示パネル９２Ｒ，９２Ｇ，９２Ｂの出射側に配置された偏光板９４Ｒ，９４Ｇ，９４Ｂは、映像を表さない不要な直線偏光を除去し、映像を表す直線偏光をクロスダイクロイックプリズム９５へ出射する。
クロスダイクロイックプリズム９５で合成された光は、投射レンズ９６を介してスクリーン（図示せず）に投射され、スクリーンに画像が表示される。
【００５１】
冷却装置１は、照明光学系、液晶表示パネル９２Ｒ，９２Ｇ，９２Ｂ、偏光板９３Ｒ，９３Ｇ，９３Ｂ、及び偏光板９４Ｒ，９４Ｇ，９４Ｂの下側に配されている。冷却装置１の吹出口７Ｒは液晶表示パネル９２Ｒ、及び偏光板９３Ｒ，９４Ｒに、吹出口７Ｇは液晶表示パネル９２Ｇ、及び偏光板９３Ｇ，９４Ｇに、吹出口７Ｂは液晶表示パネル９２Ｂ、及び偏光板９３Ｂ，９４Ｂに対向する。
【００５２】
投射型画像表示装置９０のケースの裏面には、塵埃等の侵入を防止するための防塵フィルタを備える吸気口が設けられている（図示せず）。該吸気口から吸い込まれ、塵等を除去された空気は、冷却装置１の第１吸気口９３Ｒ，９３Ｇ，９３Ｂから、及び第２吸気口６Ｒ，６Ｇ，６Ｂを介して第３吸気口１０ｂ，１０ｂ，１０ｂからシロッコファン１０，１０，１０に吸い込まれる。
【００５３】
そして、シロッコファン１０，１０，１０から吐出され、通気路５Ｒ，５Ｇ，５Ｂを通流した空気は、吹出口７Ｒ，７Ｇ，７Ｂから吹き出して、液晶表示パネル９２Ｒ及び偏光板９３Ｒ，９４Ｒ、液晶表示パネル９２Ｇ及び偏光板９３Ｇ，９４Ｇ、並びに液晶表示パネル９２Ｂ及び偏光板９３Ｂ，９４Ｂをそれぞれ冷却する。
【００５４】
本実施の形態の投射型画像表示装置９０においては、冷却装置１が軸方向の両側から空気を吸い込むシロッコファン１０，１０，１０を備えるので、冷却効率が良好である。
そして、冷却装置１がケース３の平板部３１に、第１吸気口４３Ｒ，４３Ｇ，４３Ｂ及び第２吸気口６Ｒ，６Ｇ，６Ｂともに備えるので、この冷却装置１を組み込む投射型画像表示装置９０においては、該投射型画像表示装置９０のケースの一面に、空気を吸い込む吸気口を１つ設けるだけですみ、投射型画像表示装置９０の小型化及び簡素化が図られる。
さらに、冷却装置１は、隣り合うシロッコファン１０，１０が、支持板１０ａ，１０ａの端部を重ねて収納されるように、収納部４Ｒの高さを収納部４Ｇの高さより高くしているので、小型化されており、投射型画像表示装置９０の小型化も実現される。
【００５５】
また、冷却装置１においては、蓋２は、吹出口７Ｒ，７Ｇ，７Ｂ側に、突出面８１Ｒ，８１Ｇ，８１Ｂ、及び案内面８２Ｒ，８２Ｇ，８２Ｂを有するリブ８Ｒ，８Ｇ，８Ｂを備えており、突出面８１Ｒ，８１Ｇ，８１Ｂにより良好に上向き流が生じるとともに、吹出口７Ｂまでの距離が長い通気路５Ｂと対向する案内面８２Ｂの対向距離は、吹出口７Ｇまでの距離が短い通気路５Ｇと対向する案内面８２Ｇの対向距離よりも長くしているので、風量の損失が抑制され、液晶表示パネル９２Ｒ及び偏光板９３Ｒ，９４Ｒ等が十分に冷却される。
従って、本実施の形態の投射型画像表示装置９０は、性能の低下が抑制されている。
【００５６】
なお、本実施の形態においては、冷却装置１が投射型画像表示装置９０の透過型の液晶表示パネル９２Ｒ，偏光板９３Ｒ，９４Ｒ等を冷却する場合につき説明したがこれに限定されるものではなく、液晶表示パネルは反射型のものでもよく、光源９１等の他の部品を冷却する構成にしてもよく、また、空間光変調素子としてＤＭＤ（Digital Mirror Device：登録商標）を備える投射型画像表示装置のＤＭＤを冷却する構成にしてもよい。
さらに、冷却装置１が組み込まれる電子機器は投射型画像表示装置に限定されるものでない。
【図面の簡単な説明】
【００５７】
【図１】本発明の実施の形態１に係る冷却装置を示す斜視図である。
【図２】ケースを示す斜視図である。
【図３】ケースを示す平面図である。
【図４】ケースを示す裏面図である。
【図５】蓋を表側から見た斜視図である。
【図６】蓋を示す平面図である。
【図７】蓋を裏側から見た斜視図である。
【図８】蓋を示す裏面図である。
【図９】シロッコファンを示す斜視図である。
【図１０】ケースの収納部にシロッコファンが収納された状態を示す平面図である。
【図１１】ケースの収納部にシロッコファンが収納された状態を示す側面図である。
【図１２】本実施の形態２に係る冷却装置を示す斜視図である。
【図１３】本発明の実施の形態３に係る投射型画像表示装置を示す概略平面図である。
【図１４】シロッコファンを使用した従来の投射型画像表示装置の要部を示す平面断面図である。
【符号の説明】
【００５８】
１、１１  冷却装置
２  蓋
３  ケース
４Ｒ、４Ｇ、４Ｂ  収納部
４１Ｒ、４１Ｇ、４１Ｂ  周壁
４２Ｒ、４２Ｇ、４２Ｂ  吐出口
４３Ｒ、４３Ｇ、４３Ｂ  第１吸気口
５Ｒ、５Ｇ、５Ｂ  通気路
５１Ｒ、５１Ｇ、５１Ｂ  仕切り壁
５２Ｒ、５２Ｇ、５２Ｂ  湾曲部
６Ｒ、６Ｇ、６Ｂ、２３Ｒ、２３Ｇ、２３Ｂ  第２吸気口
７Ｒ、７Ｇ、７Ｂ  吹出口
８Ｒ、８Ｇ、８Ｂ  リブ
８１Ｒ、８１Ｇ、８１Ｂ  突出面
８２Ｒ、８２Ｇ、８２Ｂ  案内面
９０  投射型画像表示装置
９１  光源
９２Ｒ、９２Ｇ、９２Ｂ  液晶表示パネル
９３Ｒ、９３Ｇ、９３Ｂ  偏光板
９４Ｒ、９４Ｇ、９４Ｂ  偏光板
９５  クロスダイクロイックプリズム
９６  投射レンズ
９７  電源・バラストユニット
【図１】
2008026422.tif 000003
【図２】
2008026422.tif 000004
【図３】
2008026422.tif 000005
【図４】
2008026422.tif 000006
【図５】
2008026422.tif 000007
【図６】
2008026422.tif 000008
【図７】
2008026422.tif 000009
【図８】
2008026422.tif 000010
【図９】
2008026422.tif 000011
【図１０】
2008026422.tif 000012
【図１１】
2008026422.tif 000013
【図１２】
2008026422.tif 000014
【図１３】
2008026422.tif 000015
【図１４】
2008026422.tif 000016